(57)【要約】【課題】簡単な構造で放熱性、耐熱性を向上させ、高い信頼性と発電効率を実現する集光型太陽光発電ユニットおよび集光型太陽光発電装置を提供する。【解決手段】集光型太陽光発電ユニット４０は、太陽光を集光する集光レンズ４２が接合され集光型太陽光発電ユニット４０の天面を保護する透光性保護板４１、集光型太陽光発電ユニット４０の基本構造体となる長尺状フレーム４４、複数の太陽電池１０を実装する太陽電池実装板４７を備える。長尺状フレーム４４は、長手方向の端部に通気孔４４ｖを備え、長尺状フレーム４４内部に気流を発生させて、放熱性（つまり耐熱性）を向上する。【選択図】図１
2008084955.tif 000002
【特許請求の範囲】
【請求項１】
側部および底部を有する長尺状フレームと、前記底部に対応して配置された太陽電池と、前記側部の頂面に対応して配置され前記太陽電池に太陽光を集光して照射する集光レンズとを備える集光型太陽光発電ユニットであって、
前記長尺状フレームの長手方向の端部に通気孔を備えることを特徴とする集光型太陽光発電ユニット。
【請求項２】
前記通気孔は、前記底部に形成してあることを特徴とする請求項１に記載の集光型太陽光発電ユニット。
【請求項３】
前記通気孔は、前記長手方向で対応する両方の前記端部に形成してあることを特徴とする請求項１または請求項２に記載の集光型太陽光発電ユニット。
【請求項４】
前記通気孔を被覆する通気孔被覆部を備えることを特徴とする請求項１ないし請求項３のいずれか一つに記載の集光型太陽光発電ユニット。
【請求項５】
前記通気孔被覆部は、フィルタを備えることを特徴とする請求項４に記載の集光型太陽光発電ユニット。
【請求項６】
前記通気孔被覆部は、相互に対向する羽根板を交互に配置した通気路を備えることを特徴とする請求項４に記載の集光型太陽光発電ユニット。
【請求項７】
前記長尺状フレームは、前記側部および前記底部に対して垂直に配置された仕切り板を備えることを特徴とする請求項１ないし請求項６のいずれか一つに記載の集光型太陽光発電ユニット。
【請求項８】
前記仕切り板は、通気用切り欠きを有することを特徴とする請求項７に記載の集光型太陽光発電ユニット。
【請求項９】
側部および底部を有する長尺状フレームと、前記底部に対応して配置された太陽電池と、該太陽電池に太陽光を集光して照射する集光レンズが設けられ前記側部の頂面に固定された透光性保護板とを備える集光型太陽光発電ユニットであって、
前記集光レンズの中心に対応して位置決めされ前記透光性保護板の縁取りに設けられた位置決めピンが、前記頂面に形成されたピン嵌合部に嵌合してあることを特徴とする集光型太陽光発電ユニット。
【請求項１０】
長尺状フレームを備える集光型太陽光発電ユニットを前記長尺状フレームの短手方向に複数並置して構成してある集光型太陽光発電装置であって、
前記集光型太陽光発電ユニットは、請求項１ないし請求項９のいずれか一つに記載の集光型太陽光発電ユニットであることを特徴とする集光型太陽光発電装置。
【請求項１１】
前記短手方向は、水平方向であることを特徴とする請求項１０に記載の集光型太陽光発電装置。
【発明の詳細な説明】
【技術分野】
【０００１】
本発明は、長尺状フレームの底部に対応させて配置した太陽電池を備える集光型太陽光発電ユニットおよびこのような集光型太陽光発電ユニットを並置して構成する集光型太陽光発電装置に関する。
【背景技術】
【０００２】
太陽エネルギーを電力に変換する太陽光発電装置（太陽光発電ユニット）が実用化されているが、低コスト化を実現し、さらに大電力を得るために、集光レンズで集光した太陽光を集光レンズの受光面積より小さい太陽電池素子に照射して電力を取り出すタイプの集光型太陽光発電装置（集光型太陽光発電ユニット）が実用化されつつある。
【０００３】
集光型の太陽光発電装置は、太陽光を集光レンズで集光して太陽電池素子に照射することから、太陽電池素子は、光学系で集光された太陽光を受光できる小さい受光面積を備えれば良い。つまり、集光レンズの受光面積より小さいサイズの太陽電池素子で良いことから、太陽電池素子のサイズを縮小することができるので、太陽光発電装置において高価な構成物である太陽電池素子の使用量を減らすことができ、コストを低減することが可能となる。このような利点から、集光型太陽光発電装置は、広大な面積を利用して発電することが可能な地域などで、電力供給用に利用されつつある。
【０００４】
集光型太陽光発電装置として、太陽電池モジュールを支持板に取り付けるという簡単な構成により、重量の増大を招くことなく充分な強度、剛性が得られ、放熱性が得られるようにしたものが提案されている（例えば特許文献１参照。）。
【特許文献１】特開平１１−２８４２１７号公報
【発明の開示】
【発明が解決しようとする課題】
【０００５】
受光位置での集光によるエネルギーは極めて大きく、太陽電池素子周辺への照射による損傷防止対策などが放熱対策として必要である。また、集光型太陽光発電装置は、砂漠等の温度変化の激しい地域に設置されることもしばしばであり、温度上昇に対する熱膨張対策も必要である。
【０００６】
しかし、特許文献１に記載の集光型太陽光発電装置は、放熱構造が複雑で大型となり、生産工程が複雑になることから、量産性、設置作業性、保守管理面などでの問題がある。また、太陽電池モジュール、レンズフレームに対する通気性が考慮されていないことから、集光された太陽光による蓄熱作用が大きく、太陽電池モジュールが高温になり、光電変換効率を低下させるなど耐熱性、信頼性に問題が生じる恐れがある。
【０００７】
すなわち、確実に太陽光から電力を取り出す信頼性の高い集光型太陽光発電装置（集光型太陽光発電ユニット）とするために、太陽電池素子の実装、太陽電池素子と光学系との間の位置関係の調整などにおいて、熱、集光に対する適切な対策を施すことが極めて重要である。
【０００８】
本発明はこのような状況に鑑みてなされたものであり、太陽電池を実装した長尺状フレームの長手方向の端部に通気孔を備えることにより、簡単な構造で高い放熱性を確保して耐熱性を向上させ、高い信頼性と発電効率を実現する集光型太陽光発電ユニットを提供することを目的とする。
【０００９】
本発明は、集光レンズを接合した透光性保護板に設けた位置決めピンを、長尺状フレームの側部に設けたピン嵌合部に嵌合する構成とすることにより、簡単な構造で集光レンズを太陽電池に高精度で位置合わせし、不要な温度上昇を防止して耐熱性を向上させ、高い信頼性と発電効率を実現する集光型太陽光発電ユニットを提供することを他の目的とする。
【００１０】
本発明は、長尺状フレームの長手方向の端部に通気孔を備える集光型太陽光発電ユニットを長尺状フレームの短手方向に複数並置することにより、簡単な構造で高い放熱性を確保して耐熱性を向上させ、高い信頼性と発電効率を実現する集光型太陽光発電装置を提供することを他の目的とする。
【課題を解決するための手段】
【００１１】
本発明に係る集光型太陽光発電ユニットは、側部および底部を有する長尺状フレームと、前記底部に対応して配置された太陽電池と、前記側部の頂面に対応して配置され前記太陽電池に太陽光を集光して照射する集光レンズとを備える集光型太陽光発電ユニットであって、前記長尺状フレームの長手方向の端部に通気孔を備えることを特徴とする。
【００１２】
この構成により、簡単な構造で長尺状フレームの内部に気流を発生させて通気性を向上させ、放熱性、耐熱性を向上できることから、集光された太陽光による太陽電池の温度上昇を防止して発電効率および信頼性を向上させることができる。
【００１３】
また、本発明に係る集光型太陽光発電ユニットでは、前記通気孔は、前記底部に形成してあることを特徴とする。
【００１４】
この構成により、通気孔は集光型太陽光発電ユニットの底部に位置することから、外部からの風雨、砂塵などの浸入を確実に防止することが可能となり、耐候性（耐雨性、耐湿性、耐塵性など）が良く、信頼性の高い集光型太陽光発電ユニットとすることができる。
【００１５】
また、本発明に係る集光型太陽光発電ユニットでは、前記通気孔は、前記長手方向で対応する両方の前記端部に形成してあることを特徴とする。
【００１６】
この構成により、長尺状フレームの両方の端部間を通過する気流を発生させることから、通気性を確実に向上させることが可能となり、長尺状フレームの全長にわたって太陽電池の温度上昇を均一に防止することができる。
【００１７】
また、本発明に係る集光型太陽光発電ユニットでは、前記通気孔を被覆する通気孔被覆部を備えることを特徴とする。
【００１８】
この構成により、風雨、砂塵などが通気孔から長尺状フレームの内部へ浸入することを防止できることから、さらに耐候性を向上させて、信頼性を向上させることができる。
【００１９】
また、本発明に係る集光型太陽光発電ユニットでは、前記通気孔被覆部は、フィルタを備えることを特徴とする。
【００２０】
この構成により、通気孔から風雨、砂塵などが浸入することを確実に防止できることから、さらに耐候性を向上させることが可能となり、信頼性を向上させることができる。
【００２１】
また、本発明に係る集光型太陽光発電ユニットでは、前記通気孔被覆部は、相互に対向する羽根板を交互に配置した通気路を備えることを特徴とする。
【００２２】
この構成により、通気路をジグザグ状とすることができることから、砂塵が外部から通気孔へ進入することを確実かつ容易に防止することが可能となり、信頼性を向上させることができる。
【００２３】
また、本発明に係る集光型太陽光発電ユニットでは、前記長尺状フレームは、前記側部および前記底部に対して垂直に配置された仕切り板を備えることを特徴とする。
【００２４】
この構成により、長尺状フレームの短手方向での断面形状を正確かつ強固に画定することにより、長尺状フレームの強度、集光レンズの集光精度を向上させて、発電効率、信頼性を向上させることが可能となる。
【００２５】
また、本発明に係る集光型太陽光発電ユニットでは、前記仕切り板は、通気用切り欠きを有することを特徴とする。
【００２６】
この構成により、仕切り板を設けた場合でも、通気性を確保することが可能となる。
【００２７】
また、本発明に係る集光型太陽光発電ユニットは、側部および底部を有する長尺状フレームと、前記底部に対応して配置された太陽電池と、該太陽電池に太陽光を集光して照射する集光レンズが設けられ前記側部の頂面に固定された透光性保護板とを備える集光型太陽光発電ユニットであって、前記集光レンズの中心に対応して位置決めされ前記透光性保護板の縁取りに設けられた位置決めピンが、前記頂面に形成されたピン嵌合部に嵌合してあることを特徴とする。
【００２８】
この構成により、集光レンズ（透光性保護板）を高精度で容易に太陽電池（長尺状フレーム）に位置決めできることから、集光された太陽光を高精度に太陽電池に照射することが可能となり、不要な温度上昇を防止して耐熱性と発電効率を向上させることが可能となる。
【００２９】
また、本発明に係る集光型太陽光発電装置は、長尺状フレームを備える集光型太陽光発電ユニットを前記長尺状フレームの短手方向に複数並置して構成してある集光型太陽光発電装置であって、前記集光型太陽光発電ユニットは、本発明に係る集光型太陽光発電ユニットであることを特徴とする。
【００３０】
この構成により、通気性を確保して、放熱性、耐熱性を向上させることから、信頼性、発電効率を向上させることが可能となる。
【００３１】
また、本発明に係る集光型太陽光発電装置では、前記短手方向は、水平方向であることを特徴とする。
【００３２】
この構成により、長尺状フレームの長手方向を垂直方向に対応させることから、通気性をさらに大きくすることが可能となり、さらに高い信頼性を得ることができる。
【発明の効果】
【００３３】
本発明に係る集光型太陽光発電ユニットによれば、太陽電池を実装した長尺状フレームの長手方向の端部に通気孔を備えることから、簡単な構造で高い放熱性を確保して耐熱性を向上させ、高い信頼性と発電効率を実現するという効果を奏する。
【００３４】
また、本発明に係る集光型太陽光発電ユニットによれば、集光レンズを接合した透光性保護板に設けた位置決めピンを、長尺状フレームの側部に設けたピン嵌合部に嵌合する構成とすることから、簡単な構造で集光レンズを太陽電池に高精度で位置合わせし、不要な温度上昇を防止して耐熱性を向上させ、高い信頼性と発電効率を実現するという効果を奏する。
【００３５】
また、本発明に係る集光型太陽光発電装置によれば、長尺状フレームの長手方向の端部に通気孔を備える集光型太陽光発電ユニットを長尺状フレームの短手方向に複数並置することから、簡単な構造で高い放熱性を確保して耐熱性を向上させ、高い信頼性と発電効率を実現するという効果を奏する。
【発明を実施するための最良の形態】
【００３６】
以下、本発明の実施の形態を図面に基づいて説明する。
【００３７】
＜実施の形態１＞
図１ないし図６に基づいて、本発明の実施の形態１に係る集光型太陽光発電ユニットを説明する。
【００３８】
図１は、本発明の実施の形態１に係る集光型太陽光発電ユニットの主要部を分解して示す分解斜視図である。図２は、図１に示した集光型太陽光発電ユニットを縦型として稼動させた追尾状態での通気性の向上を概念的に説明する説明図である。図３は、図１で示した集光型太陽光発電ユニットの長尺状フレームに適用した通気孔の実施例を示す平面図である。
【００３９】
本実施の形態に係る集光型太陽光発電ユニット４０は、集光型太陽光発電ユニット４０の天面を保護する透光性保護板４１、集光型太陽光発電ユニット４０の基本構造体となる長尺状フレーム４４、複数の太陽電池１０を実装する太陽電池実装板４７を備える。透光性保護板４１の裏面（長尺状フレーム４４側）には、太陽光を集光する集光レンズ４２が例えば接合により設けてある。
【００４０】
透光性保護板４１および太陽電池実装板４７は、耐熱性、熱膨張性、生産性、信頼性、保守管理性などを考慮して例えばそれぞれ３個に分割された状態で長尺状フレーム４４に対応して配置してある。透光性保護板４１および太陽電池実装板４７は、耐熱性を向上して高精度の集光を可能とするために相互に対応させて配置してある。つまり、透光性保護板４１で構成されるレンズ群単位領域ＬＡ、太陽電池実装板４７で構成される実装単位領域ＢＡは、相互に対応して配置される。
【００４１】
長尺状フレーム４４は、側部４４ｓおよび底部４４ｂで構成されるＵ字型としてある。長尺状フレーム４４の天面（側部４４ｓの頂面）の縁取り４４ｆは、透光性保護板４１を固定、保持する構成としてある。つまり、透光性保護板４１は、側部４４ｓの頂面（縁取り４４ｆ）に固定される。
【００４２】
側部４４ｓは、集光レンズ４２の焦点距離に太陽電池１０を対応させる高さに調整してある。つまり、集光レンズ４２は、縁取り４４ｆに対応して配置してある。また、底部４４ｂは、対向する一対の側部４４ｓを保持し、太陽電池１０を実装した太陽電池実装板４７を裏面（長尺状フレーム４４の反対側）に装着する構成としてある。
【００４３】
透光性保護板４１は、透光性、強度、耐環境性などを考慮して例えばガラスで構成してあり、周囲環境からの風雨の影響を排除することが可能としてある。なお、ガラスの代わりにアクリル樹脂、ポリカーボネートなどとすることも可能である。
【００４４】
集光レンズ４２は、太陽電池１０に対応させて透光性保護板４１に列状に複数配置され、長尺状のレンズ群単位領域ＬＡに対応させてレンズアレイ（例えば２×５の１０個）を構成している。集光レンズ４２は、適宜の接着剤で透光性保護板４１に接着してある。集光レンズ４２は、加工性、透光性などを考慮して例えばアクリル樹脂で形成してある。なお、アクリル樹脂の代わりにポリカーボネート、ガラスなどとすることも可能である。
【００４５】
長尺状フレーム４４は、鉄板、鋼板などの金属板を例えばロールフォーミング加工することにより、側部４４ｓおよび底部４４ｂを含めて全体を一体として形成してある。また、底部４４ｂには、集光レンズ４２により集光された太陽光を太陽電池１０に照射するための太陽光照射穴（不図示）が形成してある。長尺状フレーム４４は、鉄板、鋼板などの金属板で構成することにより、機械的強度および耐候性を確保することが可能となる。
【００４６】
太陽電池実装板４７は、透光性保護板４１に対応させて長尺状としてあり、長さ方向へ太陽電池１０を列状に複数実装され、長尺状の実装単位領域ＢＡに対応させて太陽電池アレイ（例えば２×５の１０個）を構成している。太陽電池実装板４７は、軽量化および放熱性を考慮して例えばアルミニウム板で構成してある。なお、太陽電池１０（太陽電池素子１１）は、集光レンズ４２に対応して構成される集光単位領域ＦＡ毎に集光単位領域ＦＡの中心（集光された太陽光の焦点位置：太陽光照射穴）に対応させて配置してある。
【００４７】
なお、太陽電池１０は、放熱性および絶縁性を確保するレシーバ基板２０に太陽電池素子１１を載置して構成してある。また、太陽電池実装板４７の周辺には、底部４４ｂに装着するための適宜の縁取り４７ｆが形成してある。
【００４８】
長尺状フレーム４４の長手方向終端を適宜の板部材で覆うことにより端面部４４ｔが形成される。端面部４４ｔは、長尺状フレーム４４（Ｕ字型形状）の強度を向上させ、また、長尺状フレーム４４の内部を外部から遮蔽することにより太陽電池１０を保護して集光型太陽光発電ユニット４０の信頼性を向上させる。
【００４９】
長尺状フレーム４４は、長手方向の端部に通気孔４４ｖを備える。長手方向の端部に設けることにより、長尺状フレーム４４内部に気流を発生させて、放熱性（つまり耐熱性）を向上できる。なお、通気孔４４ｖは、底部４４ｂに設けることが好ましいが、側部４４ｓ、端面部４４ｔに適宜設けることも可能である。
【００５０】
通気孔４４ｖを底部４４ｂに設けることにより、通気孔４４ｖは集光型太陽光発電ユニット４０の底部に位置することとなり、外部からの風雨、砂塵などの浸入を確実に防止することが可能となることから、耐候性（耐雨性、耐湿性、耐塵性など）が良く、信頼性の高い集光型太陽光発電ユニット４０とすることができる。
【００５１】
長尺状フレーム４４は、側部４４ｓおよび底部４４ｂに対して垂直に配置された仕切り板４４ｄを備えることが好ましい。仕切り板４４ｄは、側部４４ｓに対して溶接、リベットなどにより容易に接合することができる。仕切り板４４ｄにより、長尺状フレーム４４の短手方向での断面形状を正確に画定することが可能となり、長尺状フレーム４４の強度、集光レンズ４２の集光精度を向上させて、発電効率、信頼性を向上させることが可能となる。
【００５２】
なお、仕切り板４４ｄは、実装単位領域ＢＡおよびレンズ群単位領域ＬＡに対応させた位置に配置することにより、透光性保護板４１および太陽電池実装板４７と長尺状フレーム４４との位置精度および結合強度を向上させて高精度の集光を行なうことが可能となる。
【００５３】
仕切り板４４ｄは、通気用切り欠き４４ｄｗを有することが好ましい。通気用切り欠き４４ｄｗを有することにより、仕切り板４４ｄを設けた場合でも、流路Ｆｐ（図２）での気流の発生を妨げることが無く、通気性（放熱性）を確実に維持することが可能となる。
【００５４】
縦型として配置された集光型太陽光発電ユニット４０は、支柱８１に支持され、稼動状態では追尾状態とされ、追尾機構８２により太陽光Ｌｓに対向することから、傾斜された状態となる（図２）。つまり、縦型として配置された集光型太陽光発電ユニット４０は、長尺状フレーム４４の長手方向が縦方向（垂直方向）となることから、確実に気流（流路Ｆｐ）を発生させる。
【００５５】
通気孔４４ｖにより長尺状フレーム４４の内部に気流（流路Ｆｐ）を発生させることから、通気性を確実に向上させることが可能となる。したがって、底部４４ｂに対応して配置された太陽電池１０の温度上昇を均一に効果的に防止することができ、集光された太陽光Ｌｓによる太陽電池１０の温度上昇を防止して、発電効率および信頼性を向上させることができる。
【００５６】
通気孔４４ｖは、流路Ｆｐで示す気流を発生させるために、長尺状フレーム４４の長手方向で対応する両方の端部（両端部）に形成してあることが好ましい。つまり、通気孔４４ｖ相互間で長尺状フレーム４４の全長にわたって太陽電池１０の温度上昇を均一に効果的に防止することができ、太陽電池１０の温度上昇をさらに防止して、発電効率および信頼性を向上させることができる。なお、集光型太陽光発電ユニット４０は、縦型として配置することが好ましいが、横型として配置することも可能である。
【００５７】
通気孔４４ｖは、底部４４ｂの両端部に形成された多数の貫通孔により構成してある（図３）。貫通孔の大きさ、密度、個数などは、長尺状フレーム４４の強度、太陽電池実装板４７に実装された太陽電池１０の定格などを考慮して、流路Ｆｐを効果的に発生する通気孔４４ｖとなるように適宜設定することが可能である。
【００５８】
図４は、図３で示した通気孔に対応させて通気孔被覆部を設けた状態を概念的に説明する斜視図である。図５は、図４で示した通気孔被覆部がフィルタを備えた状態を示す断面図である。
【００５９】
通気孔４４ｖは、多数の貫通孔で形成されることから、外部から風雨、砂塵などが侵入する恐れがある。この対策として、長尺状フレーム４４は、通気孔４４ｖを被覆する通気孔被覆部４４ｃを備える構成とすることが好ましい。
【００６０】
通気孔被覆部４４ｃは、例えば、Ｕ字型に折り曲げられた板材で構成することが可能である。Ｕ字型に折り曲げられた板材（通気孔被覆部４４ｃ）が、通気孔４４ｖを被覆するように底部４４ｂの裏面に例えばネジ止め、溶接などにより結合される。
【００６１】
この構成とすることにより、風雨、砂塵などが長尺状フレーム４４の内部へ通気孔４４ｖから浸入することを防止できることから、さらに耐候性を向上させて、信頼性を向上させることができる。
【００６２】
通気孔被覆部４４ｃは、外部からの風雨、砂塵などをある程度防止することが可能であるが、強い風雨、微粒状態の砂塵などに対しては効果が低下する恐れがある。この対策として、通気孔被覆部４４ｃは、フィルタ４４ｃｆを備えることが好ましい。
【００６３】
フィルタ４４ｃｆは、例えば、底部４４ｂ（通気孔４４ｖ）と通気孔被覆部４４ｃとの間の空間に適宜耐候性の強い素材（例えば耐食性金属）のフィルタを配置して構成することが可能である。この構成により、流路Ｆｐでの気流を妨げることなく、強い風雨、微粒状態の砂塵などに対しても、長尺状フレーム４４の内部への侵入を確実に防止でき、集光型太陽光発電ユニット４０の信頼性をさらに向上させることが可能となる。
【００６４】
図６は、図４で示した通気孔被覆部の変形例を説明する説明図であり、（Ａ）は図２と同様に集光型太陽光発電ユニットを縦型として稼動させた追尾状態での通気孔被覆部の作用を示す通気孔被覆部の断面図、（Ｂ）は（Ａ）の追尾を停止した休止状態での通気孔被覆部の作用を示す通気孔被覆部の断面図である。
【００６５】
本変形例に係る通気孔被覆部４４ｃは、相互に対向する羽根板４４ｗｐを交互に配置して構成した通気路４４ｗを備える。相互に対向する羽根板４４ｗｐを交互に配置することから、通気路４４ｗをジグザグ状とすることができる。通気路４４ｗをジグザグ状とすることから、外部から通気孔４４ｖに向かって侵入する風Ｆｉｗが運ぶ砂塵Ｄｓの侵入を、羽根板４４ｗｐで排除することが可能となる。
【００６６】
つまり、追尾状態（同図（Ａ））であっても、また、休止状態（同図（Ｂ））であっても、羽根板４４ｗｐが砂塵Ｄｓに対して防塵壁として作用し、通気路４４ｗの入り口で砂塵Ｄｓを排除することから、砂塵Ｄｓが通気孔４４ｖから長尺状フレーム４４の内部へ侵入することを防止することが可能となり、集光型太陽光発電ユニット４０の信頼性を向上させることができる。
【００６７】
なお、羽根板４４ｗｐは、根元から先端にかけて、通気孔４４ｖから通気路４４ｗの入り口（外側）へ向かう方向に傾斜させてあることが好ましい。この構成により、砂塵Ｄｓの侵入をより確実に防止することができ、また、羽根板４４ｗｐに衝突した砂塵Ｄｓを外部へ落下させて砂塵Ｄｓが羽根板４４ｗｐに付着して通気路４４ｗに滞留することを防止することができる。つまり、羽根板４４ｗｐに上述した傾斜を持たせることにより、砂塵Ｄｓの侵入を通気路４４ｗの入り口で確実に防止することが可能となり、砂塵防止効果の高い防塵壁（通気路４４ｗ）として作用させることができる。
【００６８】
＜実施の形態２＞
図７に基づいて、本発明の実施の形態２に係る集光型太陽光発電装置を説明する。
【００６９】
図７は、本発明の実施の形態２に係る集光型太陽光発電装置の主要部を説明する説明図であり、（Ａ）は集光型太陽光発電ユニットの天面側を示す正面図、（Ｂ）は側面図である。
【００７０】
本実施の形態に係る集光型太陽光発電装置１は、実施の形態１に係る集光型太陽光発電ユニット４０を長尺状フレーム４４の短手方向に複数（例えば、９個）並置して構成してある。長尺状フレーム４４の短手方向は、図７で示したとおり水平方向とすることが好ましい。この構成により、集光型太陽光発電ユニット４０を縦型に配置して稼動させることができることから、図２で示したとおり通気性に優れ、放熱性が高く信頼性を向上させた集光型太陽光発電装置１とすることができる。つまり、垂直方向での流路Ｆｐを構成して通気性、耐熱性を大きくすることが可能となり、さらに高い信頼性を得ることができる。
【００７１】
なお、本実施の形態では、短手方向を水平方向としてあるが、短手方向を垂直方向とすることも可能である。この場合でも、通気孔４４ｖを有することから、一定の通気性を確保することが可能となる。
【００７２】
＜実施の形態３＞
図８、図９に基づいて、本発明の実施の形態３に係る集光型太陽光発電ユニットを説明する。
【００７３】
図８は、本発明の実施の形態３に係る集光型太陽光発電ユニットの透光性保護板と側部との位置決めに適用する位置決めピンの嵌合形態を説明する分解斜視図である。図９は、図８で示した位置決めピンの中心を通る面での断面図であり、（Ａ）は長尺状フレームの短手方向での断面図、（Ｂ）は長尺状フレームの長手方向での断面図で長尺状フレームの内側から側部を見た状態を示し、（Ｃ）は位置決めピンの拡大断面図である。
【００７４】
本実施の形態では、実施の形態１で説明したとおり、集光型太陽光発電ユニット４０の透光性保護板４１は、長尺状フレーム４４の天面（側部４４ｓの頂面、つまり縁取り４４ｆ）に固定され、保持される。透光性保護板４１には、太陽電池１０の配置に位置合わせされた集光レンズ４２が予め設けてあり、底部４４ｂに対応して配置された太陽電池１０に対して透光性保護板４１（集光レンズ４２）を正確に位置合わせした状態で縁取り４４ｆに固定する必要がある。
【００７５】
透光性保護板４１の周囲（外周部）には、縁取り４４ｆに対応させて縁取り４１ｆが形成してあり、縁取り４１ｆと縁取り４４ｆとを当接させることにより、透光性保護板４１を縁取り４４ｆ（側部４４ｓ、長尺状フレーム４４）に固定して保持する構成としてある。
【００７６】
１枚の透光性保護板４１と集光レンズ４２（例えば１０個）との間での位置合わせは、１０個の集光レンズ４２を対応する太陽電池１０の配置に整合させた状態で集光レンズ４２と透光性保護板４１とを接着することにより行なうことが可能である。
【００７７】
しかし、透光性保護板４１の縁取り４１ｆと縁取り４４ｆとの位置合わせは、次の理由などから容易ではない。つまり、集光レンズ４２を多数保持することから外形が大きくなる透光性保護板４１の外形端部を基準とすることは精度上の問題がある。また、底部４４ｂに対応する太陽電池１０（太陽光照射穴：不図示）を基準として透光性保護板４１の位置合わせをすることは側部４４ｓが間に存在して太陽電池１０との距離が離れていることから困難である。
【００７８】
したがって、本実施の形態では、透光性保護板４１の位置決め構造として、縁取り４１ｆの縁取り４４ｆ（側部４４ｓの頂面）に対向する面（集光レンズ載置面）に集光レンズ４２ｃの中心に対応させて位置決めされた位置決めピン４１ｐを接着して設けてある。
【００７９】
つまり、位置決めピン４１ｐは、２列の中央にある２個の集光レンズ４２ｃの中心を通る中心線を縁取り４１ｆまで延長した延長線上で光学的に高精度で求めた位置に接着してある。なお、集光レンズ４２ｃは、透光性保護板４１に配置された複数の集光レンズ４２（レンズ群単位領域ＬＡ）の中央に位置する集光レンズである。透光性保護板４１の短手方向で２列に配置された集光レンズ４２ｃの中心を基準とすることから、透光性保護板４１の長手方向に配置された２つの位置決めピン４１ｐの位置決めをさらに高精度行なうことが可能となる。
【００８０】
また、縁取り４４ｆには、位置決めピン４１ｐに対応させてピン嵌合部４４ｐが形成してある。ピン嵌合部４４ｐは、長尺状フレーム４４を構成するときに、太陽電池１０（太陽光照射穴）の位置と整合させて高精度に配置、形成することが可能である。
【００８１】
したがって、位置決めピン４１ｐを対向するピン嵌合部４４ｐに位置決めして嵌合することにより、透光性保護板４１（集光レンズ４２）を縁取り４４ｆ（側部４４ｓ、長尺状フレーム４４）に高精度に位置合わせすることが可能となり、結果として透光性保護板４１（集光レンズ４２）を太陽電池１０に高精度に位置合わせすることができる。
【００８２】
太陽電池１０に対応させて透光性保護板４１に予め接合された集光レンズ４２ｃの中心を基準に位置決めピン４１ｐの位置決めをすることから、太陽電池１０（長尺状フレーム４４）に対する透光性保護板４１（集光レンズ４２）の位置合わせ精度を確実に向上させることが可能となる。
【００８３】
複数（例えば１０個）の集光レンズ４２の中で長手方向の中央に位置する集光レンズ４２ｃの中心を基準点とすることから、透光性保護板４１の長手方向の両端位置での透光性保護板４１、長尺状フレーム４４、太陽電池実装板４７の熱膨張による伸びの影響（位置ずれ）を最小限とすることが可能となり、耐熱性、発電効率を向上させることが可能となる。
【００８４】
なお、位置決めピン４１ｐは、例えば両面テープ４１ｐｂで縁取り４１ｆ（透光性保護板４１）に接着して仮止めした後、接着剤４１ｐａで強固に接着され（図９（Ｃ））、ピン嵌合部４４ｐへの嵌合を確実に行なえる構成としてある。
【００８５】
上述したとおり、本実施の形態に係る集光型太陽光発電ユニット４０によれば、集光レンズ４２を太陽電池１０に高精度で位置合わせできることから、集光レンズ４２により集光された太陽光を高精度に太陽電池１０に照射することが可能となり、不要な温度上昇を防止して耐熱性、発電効率を向上させることが可能となる。
【図面の簡単な説明】
【００８６】
【図１】本発明の実施の形態１に係る集光型太陽光発電ユニットの主要部を分解して示す分解斜視図である。
【図２】図１に示した集光型太陽光発電ユニットを縦型として稼動させた追尾状態での通気性の向上を概念的に説明する説明図である。
【図３】図１で示した集光型太陽光発電ユニットの長尺状フレームに適用した通気孔の実施例を示す平面図である。
【図４】図３で示した通気孔に対応させて通気孔被覆部を設けた状態を概念的に説明する斜視図である。
【図５】図４で示した通気孔被覆部がフィルタを備えた状態を示す断面図である。
【図６】図４で示した通気孔被覆部の変形例を説明する説明図であり、（Ａ）は図２と同様に集光型太陽光発電ユニットを縦型として稼動させた追尾状態での通気孔被覆部の作用を示す通気孔被覆部の断面図、（Ｂ）は（Ａ）の追尾を停止した休止状態での通気孔被覆部の作用を示す通気孔被覆部の断面図である。
【図７】本発明の実施の形態２に係る集光型太陽光発電装置の主要部を説明する説明図であり、（Ａ）は集光型太陽光発電ユニットの天面側を示す正面図、（Ｂ）は側面図である。
【図８】本発明の実施の形態３に係る集光型太陽光発電ユニットの透光性保護板と側部との位置決めに適用する位置決めピンの嵌合形態を説明する分解斜視図である。
【図９】図８で示した位置決めピンの中心を通る面での断面図であり、（Ａ）は長尺状フレームの短手方向での断面図、（Ｂ）は長尺状フレームの長手方向での断面図で長尺状フレームの内側から側部を見た状態を示し、（Ｃ）は位置決めピンの拡大断面図である。
【符号の説明】
【００８７】
１  集光型太陽光発電装置
１０  太陽電池
１１  太陽電池素子
２０  レシーバ基板
４０  集光型太陽光発電ユニット
４１  透光性保護板
４１ｆ  縁取り
４１ｐ  位置決めピン
４２  集光レンズ
４４  長尺状フレーム
４４ｓ  側部
４４ｆ  縁取り
４４ｐ  ピン嵌合部
４４ｂ  底部
４４ｔ  端面部
４４ｖ  通気孔
４４ｃ  通気孔被覆部
４４ｃｆ  フィルタ
４４ｗ  通気路
４４ｗｐ  羽根板
４４ｄ  仕切り板
４４ｄｗ  通気用切り欠き
４７  太陽電池実装板
４７ｆ  縁取り
８１  支柱
８２  追尾機構部
ＢＡ  実装単位領域
Ｄｓ  砂塵
ＦＡ  集光単位領域
Ｆｉｗ  風
Ｆｐ  流路
ＬＡ  レンズ群単位領域
【図１】
2008084955.tif 000003
【図２】
2008084955.tif 000004
【図３】
2008084955.tif 000005
【図４】
2008084955.tif 000006
【図５】
2008084955.tif 000007
【図６】
2008084955.tif 000008
【図７】
2008084955.tif 000009
【図８】
2008084955.tif 000010
【図９】
2008084955.tif 000011